(57)【要約】【課題】  電子体温計において、体温を測定する際の利便性を損なうことなく、ユーザにとってより見やすい表示を実現することを目的とする。【解決手段】  複数のＬＥＤ２５２Ａが配列された発光部２５２と、電子体温計１００が振られたことを検出するとともに、振れ方向の変更位置からの距離を算出する振れ検出部２３０と、各ＬＥＤ２５２Ａの発光を制御する表示制御部２４４と、を備え、表示制御部２４４は、更に、体温情報を表現するために、振れ方向の変更位置からの距離が規定されたドット列から構成される発光ドットパターンを生成する手段を備え、前記規定された距離に到達した場合に、対応するドット列に従って各ＬＥＤ２５２Ａの発光を制御することを特徴とする。【選択図】図２
2010190799.tif 000002
【特許請求の範囲】
【請求項１】
被検体の体温を測定する電子体温計であって、
配列された複数の発光素子を備える発光手段と、
前記電子体温計が振られたことを検出するとともに、振れ速度がゼロとなった位置を基準位置として、該基準位置からの距離を算出する振れ検出手段と、
前記発光手段が備える各発光素子の発光を制御する発光制御手段と、を備え、
前記発光制御手段は、
測定された前記被検体の体温に関する情報を表現するために、前記電子体温計の振れ方向における前記発光素子のドット列から構成された発光ドットパターンであって、該各ドット列の前記基準位置からの距離が規定された発光ドットパターンを生成する生成手段を備え、
前記振れ検出手段により算出された距離が、前記発光ドットパターンを構成する各ドット列について規定された前記基準位置からの距離に一致した場合に、前記各発光素子を、対応するドット列に従って発光するよう制御することを特徴とする電子体温計。
【請求項２】
前記振れ検出手段は、
前記電子体温計の長手方向と略直交する方向における往復の振れを検出することを特徴とする請求項１に記載の電子体温計。
【請求項３】
前記振れ検出手段は、加速度センサを備え、
該加速度センサより出力された信号に基づいて、前記電子体温計の振れ方向の変更位置及び該振れ方向の変更位置からの距離を算出することを特徴とする請求項２に記載の電子体温計。
【請求項４】
前記生成手段は、
前記電子体温計の振れ幅と、前記発光ドットパターンを構成するドット列の数とに基づいて、前記各ドット列の前記基準位置からの距離を規定することを特徴とする請求項２または３に記載の電子体温計。
【請求項５】
前記生成手段は、
前記電子体温計の振れ幅から固定距離を減算することにより得られた距離または振れ幅に基づく所定の距離を減算することにより得られた距離と、前記発光ドットパターンを構成するドット列の数とに基づいて、前記各ドット列の前記基準位置からの距離を規定することを特徴とする請求項２または３に記載の電子体温計。
【請求項６】
前記生成手段は、前記体温に関する情報を示す文字列のうち、最初の文字の前と最後の文字の後に、空白のドット列が配された発光ドットパターンを生成することを特徴とする請求項４に記載の電子体温計。
【請求項７】
配列された複数の発光素子を備える発光手段と、電子体温計が振られたことを検出するとともに、振れ速度がゼロとなった位置を基準位置として、該基準位置からの距離を算出する振れ検出手段と、を備え、被検体の体温を測定する電子体温計における表示制御方法であって、
測定された前記被検体の体温に関する情報を表現するために、前記電子体温計の振れ方向における前記発光素子のドット列から構成された発光ドットパターンであって、該各ドット列の前記基準位置からの距離が規定された発光ドットパターンを生成する生成工程と、
前記振れ検出手段により算出された距離が、前記発光ドットパターンを構成する各ドット列について規定された前記基準位置からの距離に一致した場合に、前記各発光素子を、対応するドット列に従って発光するよう制御する制御工程と
を備えることを特徴とする電子体温計の表示制御方法。
【請求項８】
請求項７に記載の表示制御方法をコンピュータによって実行させるためのプログラムを格納したコンピュータ読取可能な記憶媒体。
【発明の詳細な説明】
【技術分野】
【０００１】
本発明は、被検体の体温を測定する電子体温計に関するものである。
【背景技術】
【０００２】
従来より、電子体温計にはＬＣＤ等の表示部が設けられており、測定された被検体の体温等の情報をユーザに表示することができるよう構成されている（例えば、下記特許文献１参照）。
【先行技術文献】
【特許文献】
【０００３】
【特許文献１】特開２００７−２４５３０号公報
【発明の概要】
【発明が解決しようとする課題】
【０００４】
しかしながら、近年、その表示部は、電子体温計の軽量・小型化に伴って、大きさが制約される傾向にあり、ユーザにとっては、必ずしも見やすい表示となっていない。特に、周辺環境が暗い場合にあっては、表示された情報を読み取ることは困難な状況となっている。
【０００５】
一方、寸法を大きくしたり、ＬＣＤのバックライトを明るくしたりすることで、ユーザにとってより見やすい表示部を実現することは可能であるが、この場合、電子体温計の外形が大きくなったり、消費電力が増大し電池交換が必要になるなど、ユーザの利便性が損なわれる結果となる。
【０００６】
本発明は上記課題に鑑みてなされたものであり、電子体温計において、ユーザの利便性を損なうことなく、より見やすい表示を実現することを目的とする。
【課題を解決するための手段】
【０００７】
上記の目的を達成するために、本発明に係る測定装置は以下のような構成を備える。即ち、
被検体の体温を測定する電子体温計であって、
配列された複数の発光素子を備える発光手段と、
前記電子体温計が振られたことを検出するとともに、振れ速度がゼロとなった位置を基準位置として、該基準位置からの距離を算出する振れ検出手段と、
前記発光手段が備える各発光素子の発光を制御する発光制御手段と、を備え、
前記発光制御手段は、
測定された前記被検体の体温に関する情報を表現するために、前記電子体温計の振れ方向における前記発光素子のドット列から構成された発光ドットパターンであって、該各ドット列の前記基準位置からの距離が規定された発光ドットパターンを生成する生成手段と、を備え、
前記振れ検出手段により算出された距離が、前記発光ドットパターンを構成する各ドット列について規定された前記基準位置からの距離に一致した場合に、前記各発光素子を、対応するドット列に従って発光するよう制御することを特徴とする。
【発明の効果】
【０００８】
本発明によれば、電子体温計において、ユーザの利便性を損なうことなく、より見やすい表示を実現することが可能となる。
【図面の簡単な説明】
【０００９】
【図１】本発明の第１の実施形態に係る電子体温計１００の外観構成の一例を示す図である。
【図２】本発明の第１の実施形態に係る電子体温計１００のシステム構成を示す図である。
【図３】電子体温計１００を長手方向と略直交する方向に、電子体温計１００の姿勢を維持した状態で往復で振られた場合に、発光部２５２の発光によってユーザに視認される表示内容の一例を示した図である。
【図４】信号処理部２３２における信号処理の内容を説明するための図である。
【図５】表示制御部２４４において生成された発光ドットパターンの一例を示す図である。
【図６】表示制御部２４４における、発光開始から発光完了までの発光制御処理の内容を説明するための図である。
【図７】表示制御部２４４における、発光開始から発光完了までの発光制御処理の内容を説明するための図である。
【図８】電子体温計１００の体温測定処理の流れを示すフローチャートである。
【図９】測定された体温を発光部２５２において可視化するための、表示制御部２４４における可視化処理の流れを示すフローチャートである。
【図１０】表示制御部２４４において生成された発光ドットパターンの一例を示す図である。
【図１１】表示制御部２４４における、発光開始から発光完了までの発光制御処理の内容を説明するための図である。
【図１２】表示制御部２４４における、発光開始から発光完了までの発光制御処理の内容を説明するための図である。
【図１３】測定された体温を発光部２５２において可視化するための、表示制御部２４４における可視化処理の流れを示すフローチャートである。
【図１４】表示制御部２４４において生成された発光ドットパターンの一例を示す図である。
【図１５】表示制御部２４４における、発光開始から発光完了までの発光制御処理の内容を説明するための図である。
【図１６】表示制御部２４４において生成された発光ドットパターンの一例を示す図である。
【図１７】表示制御部２４４における、発光開始から発光完了までの発光制御処理の内容を説明するための図である。
【発明を実施するための形態】
【００１０】
以下、本発明の各実施形態について図面を参照しながら説明する。
【００１１】
１．電子体温計の外観構成
図１は、本発明の第１の実施形態に係る電子体温計１００の外観構成の一例を示す図である。
【００１２】
図１において、１０１は、被検体の体温に関する情報を表示する表示部であり、例えば、ＬＣＤ等により構成されている。
【００１３】
１０２は発光部であり、ＬＥＤ等の発光素子が電子体温計１００の長手方向に一列に配列されている。なお、図１の例では、発光部１０２としてＬＥＤが７個配列された場合について図示しているが、発光部１０２に含まれるＬＥＤの数は７個に限られない。また、図１の例では、発光部１０２としてＬＥＤを１列に配列した場合について図示しているが、ＬＥＤの配列数は１列に限られず、複数列であってもよい。
【００１４】
１０３はエンドキャップであり、内蔵された温度計測部（詳細は後述）に対して被検体の体温が伝導しやすいように、ステンレスなどの金属により構成されている。
【００１５】
１０４はＯＮ／ＯＦＦスイッチであり、体温の測定を開始する際、又は体温の測定を終了した後に押すことで、電子体温計１００の電源のＯＮ／ＯＦＦを制御する。
【００１６】
２．電子体温計のシステム構成
次に、電子体温計１００のシステム構成について図２を参照しながら説明する。
【００１７】
図２は、本発明の第１の実施形態に係る電子体温計１００のシステム構成を示す図である。
【００１８】
電子体温計１００は、電源部２１０と温度計測部２２０と振れ検出部２３０と演算制御部２４０と、出力部２５０と、ブザー２６０とに大別することができる。
【００１９】
電源部２１０は、従来の使い捨て式又は充電式の電池を内蔵しており、電子体温計１００の各部に電源を供給する。
【００２０】
温度計測部２２０は、サーミスタ、コンデンサ、測温用ＣＲ発振回路等から構成されており、サーミスタにより検出された温度を発信信号として出力する。出力された発信信号はカウンタ２４５においてカウントされることで、デジタル量として出力される。なお、温度計測部２２０の構成は一例であって、これに限定されるものではない。
【００２１】
演算制御部２４０は、体温測定に必要なパラメータを格納したＥＥＰＲＯＭ２４１、計測した温度を時系列で記憶するためのＲＡＭ２４２、予測式の体温測定プログラム等を格納したＲＯＭ２４３、出力部２５０を制御するための表示制御部２４４、温度計測部２２０より出力された発振信号をカウントするカウンタ２４５、ＲＯＭ２４３の体温測定プログラムに従いＥＥＰＲＯＭ２４１に格納されたパラメータに従って演算を行う演算処理部２４６、カウンタ２４５や表示制御部２４４を制御する制御回路２４７等を備える。
【００２２】
振れ検出部２３０は、モーション・センサ２３１と、信号処理部２３２とを備える。モーション・センサ２３１としては、例えば、加速度センサ等が用いられるものとする。
【００２３】
信号処理部２３２は、モーション・センサ２３１が検出した電子体温計１００の振れを信号として受信し、当該信号に基づいて、発光部２５２の発光開始／発光完了の位置を規定するための信号（振れ方向の変更位置を示す信号（詳細は後述））ならびに該振れ方向の変更位置からの距離を示す信号を表示制御部２４４に出力する。
【００２４】
ブザー２６０は、体温測定が終了したことを、鳴動により被検体に知らせる。
【００２５】
出力部２５０は、従来の表示方法（ＬＣＤ等）で体温に関する情報を表示する表示部２５１と、ユーザの目の残像効果を利用して体温に関する情報を可視化する発光部２５２とを含む。
【００２６】
表示部２５１は、ＬＣＤ等により構成され、表示制御部２４４から受信した体温に関する情報を表示する。
【００２７】
発光部２５２は、電子体温計１００が往復で振られた（往復運動した）際に、被検体の体温に関する情報をユーザが視認できるように、表示制御部２４４にて生成された発光ドットパターンに基づいて、各発光素子を発光させる（詳細は後述）。つまり、表示制御部２４４は、表示部２５１の表示を制御する表示制御機能と、発光部２５２の各発光素子の発光を制御する発光制御機能とを有している。
【００２８】
なお、発光部２５２の各発光素子が発光している状態で、ユーザが電子体温計１００を往復で振ることで、ユーザは、目の残像効果の影響により、被検体の体温に関する情報を空間上において視認することができる。
【００２９】
なお、電子体温計１００のように発光部１０２を備える構成の場合、必ずしも表示部２５１を設ける必要はなく、表示部２５１は省略しても良い。このように、表示部２５１を省略することで、電子体温計１００では、表示部を配するための幅及び大きさを維持する必要が無くなり、外形寸法を更に小さくすることができる。
【００３０】
３．発光部の発光により視認される表示内容
次に、電子体温計１００の発光部２５２の各発光素子の発光により視認される表示内容について、図面を参照しながら説明する。
【００３１】
図３は電子体温計１００を長手方向と略直交する方向（以下、横方向と称す）に、電子体温計１００の姿勢を維持した状態で、電子体温計１００を往復で振った場合に、発光部２５２の各発光素子の発光によってユーザに視認される表示内容の一例を示した図である。
【００３２】
発光部２５２では、電子体温計１００が横方向に往復で振られているうちの、所定方向の振れ（ここでは、紙面左側から右側への振れ、以下、右振れと称す）の間、被検体の体温に関する情報を表現するための発光ドットパターンに基づいて、各発光素子を発光させる。これにより、その発光を見たユーザは、目の残像効果の影響により、該被検体の体温に関する情報を視認することができる。
【００３３】
なお、図３の例は、電子体温計１００を横方向に往復で振ることで、振れ範囲内の空間上に、“３８．５℃”という表示が浮かび上がって見える様子を示している。
【００３４】
図３に示すように、電子体温計１００の発光部２５２を構成する各ＬＥＤ２５２Ａは、電子体温計１００の右振れが完了するまでの間に、それぞれ対応する発光位置において発光する。なお、本実施形態では紙面右側から左側への振れ（以下、左振れと称す）の間は、ＬＥＤ２５２Ａは発光しないものとする。
【００３５】
このように、それぞれのＬＥＤ２５２Ａは、対応する発光位置において、一瞬（次の１ドット列の発光位置に到達するまでの間）発光するだけであるが、ユーザの目の残像効果の影響により、それぞれの発光位置で発光した光が残像として残るため、ユーザには、連続した文字として視認されることとなる。
【００３６】
以下、電子体温計１００を横方向に往復で振った場合の、信号処理部２３２及び表示制御部２４４における処理の詳細について説明する。
【００３７】
４．信号処理部における信号処理
まず、発光部２５２における発光開始／発光完了の位置を規定するための信号（振れ方向の変更位置を示す信号）ならびに該振れ方向の変更位置からの距離を示す信号を出力する信号処理部２３２における信号処理の内容について説明する。
【００３８】
図４は、信号処理部２３２における信号処理の内容を説明するための図である。図４の（Ａ）は、モーション・センサ２３１が加速度センサである場合に、ユーザによって電子体温計１００が往復で振られた際のモーション・センサ２３１の出力を示した図である。
【００３９】
上述したように、電子体温計１００では、横方向の往復の振れのうち、右振れの間、発光部２５２の各発光素子の発光を制御している。このため、信号処理部２３２では、左振れしていた電子体温計１００の振れ方向が右振れに変更された位置（振れ方向の変更位置）を検出する。また、右振れ中における振れ方向の変更位置からの距離を算出する。
【００４０】
図４の（Ａ）に示すように、電子体温計１００の往復の振れに応じて、加速度センサからは正弦波状の信号が出力される。
【００４１】
このため、信号処理部２３２では、加速度センサより出力された信号の傾きがゼロになるタイミング（つまり、振れ速度がゼロになるタイミング）を検出する。
【００４２】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。信号処理部２３２では、これら２種類のタイミングを抽出し、その信号（振れ方向の変更位置を示す信号）を表示制御部２４４に出力する。
【００４３】
さらに、左振れしていた電子体温計１００の振れ方向が、右振れに変更されたタイミングにおける電子体温計１００の位置（振れ方向の変更位置４０１）を基準位置として、加速度センサより出力された信号を２回積分することにより、もう一方の振れ方向の変更位置４０２（右振れしていた電子体温計１００の振れ方向が、左振れに変更されたタイミングにおける電子体温計１００の位置）までの、該基準位置からの距離を算出する（図４の（Ｂ）参照）。算出された基準位置からの距離を示す信号は、表示制御部２４４に出力される。
【００４４】
なお、本発明は、モーション・センサ２３１として上述のような加速度センサに限定されるものではなく、振れ方向の変更位置からの距離を検出することが可能であれば、他のセンサであってもよい。
【００４５】
５．表示制御部において生成される発光ドットパターン
次に、表示制御部２４４において生成される発光ドットパターンについて説明する。図５は、表示制御部２４４において生成される発光ドットパターンの一例を示す図である。
【００４６】
図５に示すように、発光ドットパターンは、発光部２５２の各発光素子により可視化される仮想的な表示領域における表示であり、配列された発光素子の数と、所定の方向に振られている間の発光素子の発光回数であるドット列数と、各ドット列の振れ方向の変更位置４０１からの距離とにより規定される。
【００４７】
図５において、黒い丸及び白い丸は、電子体温計１００が横方向の振れに伴って移動した場合の、各発光タイミングにおける発光素子のＯＦＦ／ＯＮを示している。本実施形態では、１文字（ただし、「点」は除く）を表現するのに、横方向５ドット（５つの発光素子）と縦方向７ドット（７つの発光素子）とを用いるものとする。また、横方向の文字と文字の間には、２ドット列数分の発光素子の空白が設けられるものとする。
【００４８】
このため、体温に関する情報として、例えば“３８．５℃”の５文字（“３”、“８”、“．”、“５”及び“℃”）を表現するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【００４９】
つまり、電子体温計１００の右振れが開始してから完了するまでの間に、発光素子は、３３ドット列数からなる発光ドットパターンを出力することとなる。このとき各ドット列の発光位置は、各ドット列の振れ方向の変更位置からの距離ｘ１、ｘ２、・・・、ｘ３３により規定される。
【００５０】
このように、表示制御部２４４では、体温に関する情報を可視化するために以下のように動作する。
・発光部２５２において可視化すべき体温に関する情報を受信し、これを表現するための発光ドットパターンを生成する。
・発光ドットパターンにおいて各ドット列の振れ方向の変更位置からの距離を規定する。
・信号処理部２３２から出力された振れ方向の変更位置を示す信号の出力を発光開始位置として制御を開始し、信号処理部２３２から出力された振れ方向の変更位置からの距離を示す信号が、規定された各ドット列の振れ方向の変更位置からの距離と一致した場合に、各発光素子を、対応するドット列に従って発光させる。
【００５１】
なお、所定のドット列に基づく発光は、電子体温計１００が次のドット列に基づく発光が行われる位置に到達するまでの間、継続される。
【００５２】
６．発光開始から発光完了までの発光制御処理の内容
次に、発光開始から発光完了までの表示制御部２４４における発光制御処理の内容について説明する。
【００５３】
図６は、表示制御部２４４における、発光開始から発光完了までの発光制御処理の内容を説明するための図である。図６において、（Ａ）は振れ方向の変更位置において発光を開始した状態を示している。また、（Ｂ）及び（Ｃ）は、振れ方向の変更位置からの距離ｘがｘ１０に到達した状態及びｘ２２に到達した状態をそれぞれ示している。さらに、（Ｄ）はｘ３３に到達し、発光を完了した状態を示している。
【００５４】
図６に示すように、各発光素子は、振れ方向の変更位置からの距離に対応するドット列に基づいて発光するよう制御される。
【００５５】
同様に、図７は、表示制御部２４４における、発光開始から発光完了までの発光制御処理の内容を説明するための図である。図６との違いは、図７の場合、振れ幅Ｌが図６の振れ幅Ｌより大きい点である。
【００５６】
図７に示すように、振れ幅Ｌが図６の振れ幅より大きい場合であっても、振れ方向の変更位置からの距離が所定の距離に到達すると、順次、各発光素子が発光していく。このため、振れ幅や振れ速度に関わらず、可視化される文字の大きさ（横方向の大きさ）は一定となる。つまり、ユーザが電子体温計を振る場合に生じる、振れ幅や振れ速度のばらつきを吸収することができる。
【００５７】
このように、信号処理部２３２からの信号（振れ方向の変更位置）の出力を発光開始位置として制御を開始し、規定された振れ方向の変更位置からの距離に到達するごとに、対応するドット列に従って各発光素子を順次発光させていくことで、右振れが完了するまでの間に、“３８．５℃”なる文字を可視化させることができる。
【００５８】
７．電子体温計の体温測定手順
続いて、図８を用いて電子体温計１００における体温測定処理の流れを説明する。図８は電子体温計１００の体温測定処理の流れを示すフローチャートである。なお、本実施形態では、例えば、特開２００７−２４５３０号公報などに開示された予測式の体温測定方法を用いて体温測定を行うものとする。
【００５９】
ＯＮ／ＯＦＦスイッチ１０４が押下されると、電子体温計１００の電源がＯＮとなり、ステップＳ８０１に進む。
【００６０】
ステップＳ８０１では、電子体温計１００の初期化が行われ、温度計測部２２０による温度値の検出が開始される。例えば、０．５秒おきに温度計測部２２０を用いて温度値が検出される。
【００６１】
ステップＳ８０２では、例えば、前回実測値（つまり０．５秒前の実測値）からの上昇が所定の値（例えば１度）以上となる温度値を計測した時点を、予測式の基準点（ｔ＝０）と設定し、ＲＡＭ２４２に特定タイミングと実測値のデータ（時系列データ）として記憶を開始する。つまり、急激な温度上昇を検出することにより、被検体の所定の測定部位に電子体温計１００が装着されたとみなす。
【００６２】
ステップＳ８０３からステップＳ８０７までは、周知の予測式の体温測定方法を用いて体温を予測するものであり、その詳細に関しては、例えば、特開２００７−２４５３０号公報などに記載されているため、ここでは簡潔に説明することとする。
【００６３】
ステップＳ８０３では、測定中に計測温度の低下が観測されたか否かを判断する。所定の温度低下が見られる場合は、ステップＳ８１２に進み、所定の温度低下が見られない場合にはステップＳ８０４に進む。
【００６４】
ステップＳ８１２では、計測されたデータの補正処理を行う。補正処理が正常に行われた場合にはステップＳ８０２に戻る。一方、補正処理が正常に終了しない場合には、ステップＳ８１３に進む。ステップＳ８１３では、エラーを告げるブザー２６０を鳴動し、体温測定処理を終了する。
【００６５】
一方、ステップＳ８０４では、ステップＳ８０２で記憶されたデータを用いて、前述した予測式の体温測定方法を用いて逐次予測値を導出（例えば、０．５秒間隔で導出）する。
【００６６】
ステップＳ８０５では、基準点（ｔ＝０）から所定時間（例えば２０秒）だけ経過した後、例えば、ステップＳ８０４で導出した複数の群に対応するそれぞれの予測値の変化に基づいて群分け判定を行う。
【００６７】
ステップＳ８０６では、ステップＳ８０５によって決定された群以外の演算を停止し、判定された群における予測演算を引き続き所定の時間導出する。
【００６８】
ステップＳ８０７では、基準点（ｔ＝０）から所定時間（例えば３０秒）だけ経過した時点で、ステップＳ８０６における処理の結果導出された一定区間（例えばｔ＝２５〜３０秒）における予測値があらかじめ設定された予測成立条件を満たすかどうかをチェックする。具体的には、所定の範囲（例えば０．１度）に収まっているか否かをチェックする。
【００６９】
ステップＳ８０７において予測成立条件を満たしたと判定された場合には、ステップＳ８０８に進む。一方、予測成立条件を満たさない場合は、ステップＳ８１４に進む。
【００７０】
ステップＳ８１４では、例えばタイマーなどで計測開始から所定時間（例えば４５秒）が経過したか否かを監視し、経過した場合には、強制的に予測を成立させ、ステップＳ８０８に進む。つまり、その時点で導出されている予測値をそのまま最終予測値とみなす。
【００７１】
ステップＳ８０８では予測成立を告げるブザー２６０を鳴らし、ステップＳ８０９に進む。ステップＳ８０９では、導出された体温の予測値を測定結果として出力部２５０の表示部２５１に表示する。
【００７２】
ステップＳ８１０では、電子体温計１００が横方向に往復で振られているかを判定する。横方向に往復で振られていると判定された場合には、ステップＳ８１５に進み、横方向に往復で振られていないと判定された場合には、ステップＳ８１１に進む。
【００７３】
ステップＳ８１５では、表示制御部２４４が、測定された体温の予測値を発光部２５２において可視化するための可視化処理（可視化処理のフローの詳細は後述）を実行する。
【００７４】
ステップＳ８１１では、体温測定終了の指示を受け付けたか否かを判定する。体温測定終了の指示は、例えば、電源ＯＮ／ＯＦＦスイッチ１０４が押下されたか否かに基づいて判定してもよいし、ステップＳ８０９における表示から一定時間経過した場合に体温測定終了の指示があったとみなすようにしてもよい。以上のステップを経て、体温測定処理を終了し、電源をＯＦＦにする。
【００７５】
７．可視化処理の流れ
次に、図９を用いて、測定された体温の予測値を発光部２５２において可視化するための表示制御部２４４における処理の流れについて説明する。
【００７６】
図８のステップＳ８１０において、電子体温計１００において横方向に往復で振られていると判定されると、図９に示す処理が開始される。
【００７７】
ステップＳ９０１では、測定された体温の予測値に基づいて、発光部２５２において可視化すべき体温に関する情報を表現するための発光ドットパターンを生成する。
【００７８】
ステップＳ９０２では、信号処理部２３２からの信号に基づいて、電子体温計１００の振れ方向の変更位置を識別する。
【００７９】
ステップＳ９０３では、ステップＳ９０２において識別された振れ方向の変更位置を基準として制御を開始する。具体的には、信号処理部２３２からの信号（振れ方向の変更位置からの距離を示す信号）が、ステップＳ９０１において生成された発光ドットパターンを構成する各ドット列について規定された距離に一致した場合に、各発光素子を、対応するドット列に従って発光させる。
【００８０】
ステップＳ９０４では、信号処理部２３２からの信号の出力が継続しているか否かを判定し、継続していると判定された場合には、ステップＳ９０２に戻る。一方、信号処理部２３２からの信号の出力がないと判定された場合には、可視化処理を終了する。
【００８１】
以上の説明から明らかなように、本実施形態に係る電子体温計１００では、配列された複数の発光素子を備える発光部２５２と、電子体温計１００の振れを検出するモーション・センサ２３１と、発光部２５２の発光を制御する表示制御部２４４とを備える構成とした。
【００８２】
そして、電子体温計が横方向に往復で振られている際に、発光素子の発光を適切に制御することで、測定された被検体の体温を、ユーザが空間上において（つまり、従来の表示部による表示領域よりも大きな領域において）視認できるよう構成した。
【００８３】
この結果、電子体温計において、ユーザの利便性を損なうことなくより見やすい表示を実現することが可能となった。特に、当該電子体温計によれば、周辺環境が暗い場合においても、ユーザは、容易に体温に関する情報を視認することが可能となる。
【００８４】
［第２の実施形態］
上記第１の実施形態では、振れ幅に関わらず、所定の大きさの文字列が所定の位置において視認できるよう各発光素子の発光を制御することとしたが、本発明はこれに限定されず、振れ幅に応じて、文字の大きさおよび位置を変更するように構成してもよい。
【００８５】
１．表示制御部において生成される発光ドットパターン
図１０は、本実施形態において生成される発光ドットパターンの一例を示す図である。
【００８６】
図５との違いは、図１０の場合、振れ幅に応じて、各ドット列の振れ方向の変更位置からの距離を変更している点と、振れ幅全体にわたって、文字列が可視化されるように、各ドット列の振れ方向の変更位置からの距離を規定している点にある。
【００８７】
図１０の（Ａ）は、図５と比べて振れ幅が小さい場合（Ｌ１＜Ｌ）の発光ドットパターンを示している。この場合、各ドット列の振れ方向の変更位置からの距離は、
ｘ１＝（Ｌ１／３３）×０
ｘ２＝（Ｌ１／３３）×１
ｘ３＝（Ｌ１／３３）×２
・・・
ｘ３３＝（Ｌ１／３３）×３２
となる。
【００８８】
一方、図１０（Ｂ）は、図５と比べて振れ幅が大きい場合（Ｌ２＞Ｌ）の発光ドットパターンを示している。この場合、各ドット列の振れ方向の変更位置からの距離は、
ｘ１＝（Ｌ２／３３）×０
ｘ２＝（Ｌ２／３３）×１
ｘ３＝（Ｌ２／３３）×２
・・・
ｘ３３＝（Ｌ２／３３）×３２
となる。
【００８９】
このように、振れ幅に応じて、発光ドットパターンを規定することにより、振れ幅に応じた大きさの文字を振れ幅全体にわたって可視化させることが可能となる。
【００９０】
２．発光開始から発光完了までの発光制御処理の内容
次に、本実施形態における発光開始から発光完了までの表示制御部２４４における発光制御処理の内容について説明する。
【００９１】
図１１は、表示制御部２４４における、発光開始から発光完了までの発光制御処理の内容を説明するための図である。図１１において、（Ａ）は振れ方向の変更位置において発光を開始した状態を示している。また、（Ｂ）及び（Ｃ）は、振れ幅Ｌ１の１／３の位置に到達した状態及び２／３の位置に到達した状態をそれぞれ示している。さらに、（Ｄ）は振れ幅Ｌ１の位置に到達し、発光が完了した状態を示している。
【００９２】
図１１に示すように、各発光素子は、振れ方向の変更位置からの距離に対応するドット列に従って発光するよう制御される。
【００９３】
本実施形態において用いられる発光ドットパターンは、振れ幅Ｌ１に応じて各ドット列の振れ方向の変更位置からの距離を規定しているため、図６の場合と比較して、表現される文字の大きさ（横方向の大きさ）は、小さくなる。また、図７の場合とは異なり、表現される文字列が、振れ幅Ｌ１全体に均等に配置されることとなる。
【００９４】
同様に、図１２は、表示制御部２４４における、発光開始から発光完了までの発光制御処理の内容を説明するための図である。図１２において、（Ａ）は振れ方向の変更位置において発光を開始した状態を示している。また、（Ｂ）及び（Ｃ）は、振れ幅Ｌ２の１／３の位置に到達した状態及び２／３の位置に到達した状態をそれぞれ示している。さらに、（Ｄ）は振れ幅Ｌ２の位置に到達し、発光が完了した状態を示している。
【００９５】
図１２に示すように、各発光素子は、振れ方向の変更位置からの距離に対応するドット列に従って発光するよう制御される。
【００９６】
本実施形態において用いられる発光ドットパターンは、振れ幅Ｌ２に応じて各ドット列の振れ方向の変更位置からの距離を規定しているため、図６の場合と比較して、表現される文字の大きさ（横方向の大きさ）は、大きくなる。また、図７の場合とは異なり、表現される文字列が、振れ幅Ｌ２全体に均等に配置されることとなる。
【００９７】
３．可視化処理の流れ
次に、図１３を用いて、本実施形態における可視化処理の流れについて説明する。図８のステップＳ８１０において、電子体温計１００が横方向に往復で振られていると判定されると、図１３に示す処理が開始される。
【００９８】
ステップＳ１３０１では、信号処理部２３２からの信号（振れ方向の変更位置を示す信号）に基づいて、電子体温計１００の振れ幅を算出する。
【００９９】
ステップＳ１３０２では、測定された体温の予測値に基づいて、発光部２５２において可視化すべき体温に関する情報を表現するための発光ドットパターンを生成する。このとき、各ドット列の振れ方向の変更位置からの距離を、ステップＳ１３０１において算出された振れ幅に基づいて規定する。
【０１００】
ステップＳ１３０３では、信号処理部２３２からの信号に基づいて、電子体温計１００の振れ方向の変更位置を識別する。
【０１０１】
ステップＳ１３０４では、ステップＳ１３０３において識別された振れ方向の変更位置を基準として制御を開始する。具体的には、信号処理部２３２からの信号（振れ方向の変更位置からの距離を示す信号）が、ステップＳ１３０２において生成された発光ドットパターンを構成する各ドット列について規定された距離に一致した場合に、各発光素子を、対応するドット列に従って発光させる。
【０１０２】
ステップＳ１３０５では、信号処理部２３２からの信号の出力が継続しているか否かを判定し、継続していると判定された場合には、ステップＳ１３０１に戻る。一方、信号処理部２３２からの信号の出力がないと判定された場合には、可視化処理を終了する。
【０１０３】
以上の説明から明らかなように、本実施形態に係る電子体温計１００では、振れ幅に応じて、可視化する文字の大きさおよび位置を変更することが可能となった。
【０１０４】
［第３の実施形態］
ユーザが電子体温計１００を往復で振った場合、実際には振れ方向の変更位置近傍において、振れ速度が低下する。ここで、振れ速度が低下すると、ユーザの目の残像効果が小さくなることが考えられる。このため、より見やすい表示という観点からすると、振れ方向の変更位置近傍においては、発光を行わないように制御することが望ましい。
【０１０５】
そこで、本実施形態では、振れ速度の大きい時間帯のみを利用して各発光素子の発光を制御する構成とした電子体温計について説明する。
【０１０６】
１．表示制御部において生成される発光ドットパターン
図１４は、本実施形態において生成される発光ドットパターンの一例を示す図である。
【０１０７】
図５との違いは、図１４の場合、横方向の文字と文字との間に２ドット列数分の発光素子の空白を設けることに加えて、文字列の最初の文字の前に、更に、６ドット列数分の発光素子の空白を設けている点にある。更に、文字列の最後の文字の後ろに、６ドット列数分の発光素子の空白が設けている点にある。
【０１０８】
このため、体温に関する情報として、例えば“３８．５℃”の５文字（“３”、“８”、“．”、“５”及び“℃”）を表現するために、本実施形態における発光ドットパターンは、
（最初の空白列のドット列数（＝６ドット）
＋（最後の空白列のドット列数（＝６ドット））
＋（１文字あたりの横方向ドット列数（＝５ドット））×４文字
＋（「点」の横方向ドット列数（＝１ドット））×１文字
＋（空白列のドット列数（＝２ドット））×（５文字＋１）
＝４５ドット列数から構成されることとなる。
【０１０９】
つまり、本実施形態の場合、電子体温計１００の右振れが開始されてから完了するまでの間に、発光素子は、４５ドット列数からなる発光ドットパターンを出力することとなる。このため、各ドット列の振れ方向の変更位置からの距離は、
ｘ１＝（Ｌ／４５）×０
ｘ２＝（Ｌ／４５）×１
ｘ３＝（Ｌ／４５）×２
・・・
ｘ４５＝（Ｌ／４５）×４４
となる。
【０１１０】
このように、文字列の最初と最後に空白を設けることにより、振れ方向の変更位置近傍においては、体温に関する情報を示す文字列が可視化されず、比較的振れ速度が大きい時間帯においてのみ、体温に関する情報を示す文字列が可視化されることとなる。
【０１１１】
この結果、より見やすい表示を実現することが可能となる。
【０１１２】
２．発光開始から発光完了までの発光制御処理の内容
次に、本実施形態における発光開始から発光完了までの表示制御部２４４における発光制御処理の内容について説明する。
【０１１３】
図１５は、表示制御部２４４における、発光開始から発光完了までの発光制御処理の内容を説明するための図である。図１５において、（Ａ）は振れ方向の変更位置において発光を開始した状態を示している。また、（Ｂ）及び（Ｃ）は、振れ幅Ｌの１／３の位置に到達した状態及び２／３の位置に到達した状態をそれぞれ示している。さらに、（Ｄ）は振れ幅Ｌの位置に到達し、発光が完了した状態を示している。
【０１１４】
図１５に示すように、各発光素子は、振れ方向の変更位置からの距離に対応するドット列に従って発光するよう制御される。
【０１１５】
本実施形態において用いられる発光ドットパターンには、文字列の最初と最後に空白が含まれているため、振れ方向の変更位置近傍では、各発光素子は発光せず、空白列数分の位置に到達してから、最初の文字が発光することとなる。また、もう一方の振れ方向の変更位置近傍においても、各発光素子は発光せず、空白列数分前の位置において、最後の文字の発光が完了することとなる。
【０１１６】
この結果、振れ方向の変更位置近傍における振れ速度の低下の影響を受けることなく、体温に関する情報を可視化させることが可能となる。
【０１１７】
以上の説明から明らかなように、本実施形態によれば、振れ速度の大きい時間帯のみを利用して、体温に関する情報を可視化する構成としたため、より見やすい表示を実現することが可能となった。
【０１１８】
［第４の実施形態］
上記第３の実施形態では、より見やすい表示を実現するために、発光ドットパターンの最初と最後に空白列を入れる構成とした。
【０１１９】
本発明はこれに限定されず、振れ方向の変更位置から最初の文字が発光されるまでの距離ならびに最後の文字が発光されてから振れ方向の変更位置に到達するまでの距離を、固定距離または振れ幅に基づいた所定の距離とするように構成してもよい。
【０１２０】
つまり、振れ方向の変更位置から固定距離（Ｌｈ）または振れ幅に基づいた所定の距離（Ｌｉ）離れた位置が発光開始位置となり、発光完了位置から固定距離（Ｌｈ）または振れ幅に基づいた所定の距離（Ｌｉ）離れた位置が振れ方向の変更位置となるように構成してもよい。
【０１２１】
１．表示制御部において生成される発光ドットパターン
図１６は、本実施形態において生成される発光ドットパターンの一例を示す図である。
【０１２２】
図１４との違いは、図１６の場合、文字列の最初の文字の前に、６ドット列数分の発光素子の空白を設ける代わりに、固定距離Ｌｈまたは振れ幅に基づいた所定の距離Ｌｉを設けている点にある。更に、文字列の最後の文字の後ろに、６ドット列数分の発光素子の空白を設ける代わりに、固定距離Ｌｈまたは振れ幅に基づいた所定の距離Ｌｉを設けている点にある。
【０１２３】
本実施形態の場合、各ドット列の振れ方向の変更位置からの距離は、
ｘ１＝Ｌｈ＋（（Ｌ−２×Ｌｈ）／３３）×０
ｘ２＝Ｌｈ＋（（Ｌ−２×Ｌｈ）／３３）×１
ｘ３＝Ｌｈ＋（（Ｌ−２×Ｌｈ）／３３）×２
・・・
ｘ３３＝Ｌｈ＋（Ｌ−２×Ｌｈ）／３３）×３２
（ただし、Ｌｈは定数、例えばＬｈ＝５ｃｍ）
となる。
【０１２４】
または、
ｘ１＝Ｌｉ＋（（Ｌ−２×Ｌｉ）／３３）×０
ｘ２＝Ｌｉ＋（（Ｌ−２×Ｌｉ）／３３）×１
ｘ３＝Ｌｉ＋（（Ｌ−２×Ｌｉ）／３３）×２
・・・
ｘ３３＝Ｌｉ＋（Ｌ−２×Ｌｉ）／３３）×３２
（ただし、Ｌｉ＝Ｌ×α、例えばα＝０．２５）
となる。
【０１２５】
２．発光開始から発光完了までの発光制御処理の内容
図１７は、本実施形態における発光開始から発光完了までの表示制御部２４４における発光制御処理の内容を説明するための図である。図１６において、（Ａ）は振れ方向の変更位置にあって、未だ発光を開始していない状態を示している。また、（Ｂ）及び（Ｃ）は、すでに固定距離Ｌｈまたは振れ幅に基づいた所定の距離Ｌｉの位置を通過し、振れ幅Ｌの１／３の位置に到達した状態及び２／３の位置に到達した状態をそれぞれ示している。さらに、（Ｄ）は振れ幅Ｌの位置に到達し、発光がすでに完了している状態を示している。
【０１２６】
以上の説明から明らかにように、本実施形態によれば、振れ方向の変更位置近傍に固定距離Ｌｈまたは振れ幅に基づいた所定の距離Ｌｉを設定することで、振れ速度が大きい時間帯のみを利用して、体温に関する情報を可視化する構成とした。この結果、より見やすい表示を実現することが可能となった。
【０１２７】
［第５の実施形態］
上記第１の実施形態では、発光素子としてＬＥＤを用いる場合について説明したが、本発明はこれに限定されず、例えば、有機ＥＬ等、他の発光素子を用いるようにしてもよい。
【０１２８】
また、上記第１の実施形態では、発光部により可視化された被検体の体温に関する情報として、予測された体温を用いる場合について説明したが、本発明はこれに限定されず、実測された体温を用いるようにしてもよい。また、可視化される情報は、被検体の体温に限定されず、他の情報であってもよいことはいうまでもない。
【図１】
2010190799.tif 000003
【図２】
2010190799.tif 000004
【図４】
2010190799.tif 000005
【図５】
2010190799.tif 000006
【図６】
2010190799.tif 000007
【図７】
2010190799.tif 000008
【図８】
2010190799.tif 000009
【図９】
2010190799.tif 000010
【図１０】
2010190799.tif 000011
【図１１】
2010190799.tif 000012
【図１２】
2010190799.tif 000013
【図１３】
2010190799.tif 000014
【図１４】
2010190799.tif 000015
【図１５】
2010190799.tif 000016
【図１６】
2010190799.tif 000017
【図１７】
2010190799.tif 000018
【図３】
2010190799.tif 000019